(57)【特許請求の範囲】
【請求項１】
ネットワークシステムによって実行される通信方法であって、
（i）基地局により、セル中のユーザ装置からアップ−基地局−ダウンモードで通信するための呼出し要求を受信するステップと（請求項１及び請求項１に直接的又は間接的に従属する請求項において、前記呼出し要求を行う前記ユーザ装置を要求ユーザ装置と呼ぶ）、
（ii）前記基地局により、いくつかの利用可能なタイムスロットにおいて適切なリンクタイムスロットが存在するかどうかを判断するステップであって、前記適切なタイムスロットは、前記要求ユーザ装置が、当該適切なタイムスロットにおいて通信するとき、当該適切なタイムスロットを割り当てられてピアツーピア通信を行うP2Pユーザ装置により送信されるピアツーピア信号によって干渉されることを回避するためのタイムスロットであり、前記適切なタイムスロットが存在するかどうかを、前記セルにおける前記要求ユーザ装置及び前記P2Pユーザ装置の相対的な位置により判断するステップと、
（iii）前記適切なタイムスロットが利用可能である場合、前記基地局により、前記要求ユーザ装置からの前記呼出し要求を承認すると共に、前記適切なタイムスロットを前記要求ユーザ装置に割り当てるステップと
を有する方法。
【請求項２】
前記ステップ（ii）が、
（ａ）前記要求ユーザ装置及び前記P2Pユーザ装置の前記位置情報により、前記要求ユーザ装置と前記P2Pユーザ装置との間の距離を計算するステップを含み、
前記ステップ（iii）が、
（ｂ）前記いくつかの利用可能なタイムスロットにおける少なくとも一つのタイムスロットに関して、前記タイムスロットにおいて割り当てられる前記要求ユーザ装置と前記P2Pユーザ装置との間の距離が所定の閾値を超える場合、適切なタイムスロットとして前記タイムスロットを前記要求ユーザ装置に割り当てるステップを含む、請求項１に記載の方法。
【請求項３】
前記P2Pユーザ装置は、前記要求ユーザ装置からの距離がある一定の範囲内に入るP2Pユーザ装置を少なくとも含む請求項１又は２に記載の方法。
【請求項４】
前記いくつかの利用可能なタイムスロットにおいて前記適切なリンクタイムスロットは存在しないことが、前記ステップ（ii）において決定される場合、前記要求ユーザ装置からの呼出し要求は拒否される、
請求項３に記載の方法。
【請求項５】
ネットワークシステムによって実行される通信方法であって、
（I）基地局により、セル中のユーザ装置からピアツーピア通信モードで他のユーザ装置と通信するための呼出し要求を受信するステップと（請求項５及び請求項５に直接的又は間接的に従属する請求項において、前記呼出し要求を行う前記ユーザ装置を要求P2Pユーザ装置と呼び、前記他のユーザ装置を他のP2Pユーザ装置と呼ぶ）、
（II）前記基地局により、いくつかの利用可能なタイムスロットにおいて少なくとも二つの適切なタイムスロットが存在するかどうかを判断するステップであって、前記適切なタイムスロットは、前記要求P2Pユーザ装置及び前記他のP2Pユーザ装置が、当該適切なタイムスロットにおいてピアツーピアモードで通信するとき、当該適切なタイムスロットにおける無線リソースを割り当てられるユーザ装置にピアツーピア信号の干渉をもたらすことを回避するためのタイムスロットであり、前記適切なタイムスロットが存在するかどうかを、無線リソースを割り当てられる前記ユーザ装置と、前記要求P2Pユーザ装置及び前記他のP2Pユーザ装置との相対的な位置により判断するステップと、
（III）前記適切なタイムスロットが存在する場合、前記基地局により、前記要求P2Pユーザ装置からの前記呼出し要求を承認すると共に、前記適切なタイムスロットを前記要求P2Pユーザ装置及び前記他のP2Pユーザ装置に割り当てるステップと、
を有する方法。
【請求項６】
前記ステップ（II）が、
（Ａ）前記要求P2Pユーザ装置及び前記他のP2Pユーザ装置の位置情報と、前記セルにおいて無線リソースが割り当てられる前記ユーザ装置の位置情報とにより、前記要求P2Pユーザ装置と前記ユーザ装置との間の距離と、前記他のP2Pユーザ装置と前記ユーザ装置との間の距離とをそれぞれ計算するステップを含み、
前記ステップ（III）が、
（Ｂ）前記いくつかの利用可能なタイムスロットにおける少なくとも二つのタイムスロットに関して、前記二つのタイムスロットにおける無線リソースが割り当てられる前記ユーザ装置と前記要求P2Pユーザ装置及び前記他のP2Pユーザ装置との間の距離がある一定の閾値を超える場合、前記適切なタイムスロットとして前記二つのタイムスロットを前記要求P2Pユーザ装置及び前記他のP2Pユーザ装置に割り当てるステップを含む、請求項５に記載の方法。
【請求項７】
前記セルにおいて無線リソースを割り当てられる前記ユーザ装置は、前記要求P2Pユーザ装置及び前記他のP2Pユーザ装置からの距離がある一定の範囲内に入る、無線リソースを割り当てられるユーザ装置を少なくとも含む請求項５又は６に記載の方法。
【請求項８】
前記ステップ（II）において前記いくつかの利用可能なタイムスロットにおいて前記適切なタイムスロットが存在しない場合、前記要求P2Pユーザ装置からのピアツーピア通信のための呼出し要求は拒否される、請求項７に記載の方法。
【請求項９】
ネットワークシステムによって実行される通信方法であって、
基地局により、セル中のユーザ装置からピアツーピア通信モードで他のユーザ装置と通信するための呼出し要求を受信するステップと（請求項９において、前記呼出し要求を行う前記ユーザ装置を要求P2Pユーザ装置と呼び、前記他のユーザ装置を他のP2Pユーザ装置と呼ぶ）、
前記基地局により、前記要求P2Pユーザ装置及び前記他のP2Pユーザ装置の情報により、前記要求P2Pユーザ装置と前記他のP2Pユーザ装置との間にピアツーピア通信がもたらされ得るかどうかを判断するステップと、
前記ピアツーピア通信設定のための要求仕様が満たされ得る場合、前記基地局により、順方向リンク及び逆方向リンクのためのタイムスロットを前記要求P2Pユーザ装置及び前記他のP2Pユーザ装置に割り当てるステップであって、前記順方向リンク及び前記逆方向リンクによってそれぞれ占有される前記タイムスロットは、前記要求P2Pユーザ装置及び前記他のP2Pユーザ装置によって排他的に占有されるステップと、
を有する方法。
【請求項１０】
基地局を有するネットワークシステムであって、
セル中のユーザ装置からアップ−基地局−ダウンモードで通信するための呼出し要求を前記基地局が受信し（請求項１０及び請求項１０に直接的又は間接的に従属する請求項において、前記呼出し要求を行う前記ユーザ装置を要求ユーザ装置と呼ぶ）、
いくつかの利用可能なタイムスロットにおいて適切なリンクタイムスロットが存在するかどうかを前記基地局が判断し、前記適切なタイムスロットは、前記要求ユーザ装置が、当該適切なタイムスロットにおいて通信するとき、当該適切なタイムスロットを割り当てられてピアツーピア通信を行うP2Pユーザ装置により送信されるピアツーピア信号によって干渉されることを回避するためのタイムスロットであり、前記基地局は、前記適切なタイムスロットが存在するかどうかを、前記セルにおける前記要求ユーザ装置及び前記P2Pユーザ装置の相対的な位置により判断し、
適切なタイムスロットが存在するとき、前記基地局が、前記要求ユーザ装置からの呼出し要求を承認すると共に、前記適切なタイムスロットを前記要求ユーザ装置に割り当てる、ネットワークシステム。
【請求項１１】
前記基地局が、
前記要求ユーザ装置及び前記P2Pユーザ装置の位置情報により、前記要求ユーザ装置と前記P2Pユーザ装置との間の距離を計算するための計算手段、及び
前記いくつかの利用可能なタイムスロットにおける少なくとも一つのタイムスロットに関して、前記タイムスロットにおいて割り当てられる前記P2Pユーザ装置と前記要求ユーザ装置との間の距離が所定の閾値を超えるとき、適切なタイムスロットとして前記タイムスロットを前記要求ユーザ装置に割り当てるための割り当て手段と
を含む請求項１０に記載のネットワークシステム。
【請求項１２】
前記P2Pユーザ装置は、前記要求ユーザ装置からの距離がある一定の範囲内に入るP2Pユーザ装置を少なくとも含む請求項１０又は１１に記載のネットワークシステム。
【請求項１３】
基地局を有するネットワークシステムであって、
セル中のユーザ装置からピアツーピア通信モードで他のユーザ装置と通信するための呼出し要求を前記基地局が受信し（請求項１３及び請求項１３に直接的又は間接的に従属する請求項において、前記呼出し要求を行う前記ユーザ装置を要求P2Pユーザ装置と呼び、前記他のユーザ装置を他のP2Pユーザ装置と呼ぶ）、
いくつかの利用可能なタイムスロットにおいて少なくとも二つの適切なタイムスロットが存在するかどうかを前記基地局が判断し、前記適切なタイムスロットは、当該適切なタイムスロットにおいてピアツーピア通信する前記要求P2Pユーザ装置及び前記他のP2Pユーザ装置が、当該適切なタイムスロットにおける無線リソースを割り当てられるユーザ装置にピアツーピア信号の干渉をもたらすことを回避するためのタイムスロットであり、前記基地局は、前記適切なタイムスロットが存在するかどうかを、前記セルにおける無線リソースを割り当てられる前記ユーザ装置と、前記要求P2Pユーザ装置及び前記他のP2Pユーザ装置との相対的な位置により判断し、
適切なタイムスロットが存在するとき、前記基地局が、前記要求P2Pユーザ装置からの前記呼出し要求を承認すると共に、前記適切なタイムスロットを前記要求P2Pユーザ装置及び前記他のP2Pユーザ装置に割り当てる、ネットワークシステム。
【請求項１４】
前記基地局が、
前記要求P2Pユーザ装置及び前記他のP2Pユーザ装置の位置情報と、前記セルにおいて無線リソースが割り当てられる前記ユーザ装置の位置情報とにより、前記要求P2Pユーザ装置及び前記他のP2Pユーザ装置と、無線リソースを割り当てられる前記ユーザ装置との間の各距離を計算するための計算手段と、
前記いくつかの利用可能なタイムスロットにおける少なくとも二つのタイムスロットに関して、前記二つのタイムスロットにおいて無線リソースを割り当てられる前記ユーザ装置と前記要求P2Pユーザ装置及び前記他のP2Pユーザ装置との間の距離がある一定の閾値を超える場合、適切なタイムスロットとして前記二つのタイムスロットを前記要求P2Pユーザ装置及び前記他のP2Pユーザ装置に割り当てるための割り当て手段と
を含む請求項１３に記載のネットワークシステム。
【請求項１５】
前記セルにおいて無線リソースを割り当てられる前記ユーザ装置は、前記要求P2Pユーザ装置及び前記他のP2Pユーザ装置からの距離がある一定の範囲内に入る、無線リソースを割り当てられるユーザ装置を少なくとも含む請求項１３又は１４に記載のネットワークシステム。
【請求項１６】
基地局を有するネットワークシステムであって、
セル中のユーザ装置からピアツーピア通信モードで他のユーザ装置と通信するための呼出し要求を前記基地局が受信し（請求項１６において、前記呼出し要求を行う前記ユーザ装置を要求P2Pユーザ装置と呼び、前記他のユーザ装置を他のP2Pユーザ装置と呼ぶ）、
前記要求P2Pユーザ装置及び前記他のP2Pユーザ装置の情報により、前記要求P2Pユーザ装置と前記他のP2Pユーザ装置との間にピアツーピア通信がもたらされ得るかどうかを前記基地局が判断し、
前記ピアツーピア通信をもたらすための要求仕様が満たされ得る場合、前記基地局が、順方向リンク及び逆方向リンクのためのタイムスロットを前記要求P2Pユーザ装置及び前記他のP2Pユーザ装置に割り当て、前記順方向リンク及び前記逆方向リンクによってそれぞれ占有される前記タイムスロットは、前記要求P2Pユーザ装置及び前記他のP2Pユーザ装置によって排他的に占有される、ネットワークシステム。
【請求項１７】
請求項１から請求項８のいずれか一項に記載の方法において用いられるユーザ装置であって、前記適切なタイムスロットが割り当てられるユーザ装置。
【請求項１８】
請求項９に記載の方法において用いられるユーザ装置であって、前記順方向リンク及び前記逆方向リンクのためのタイムスロットが割り当てられるユーザ装置。
【請求項１９】
請求項１０から請求項１５のいずれか一項に記載のネットワークシステムにおいて用いられるユーザ装置であって、前記適切なタイムスロットが割り当てられるユーザ装置。
【請求項２０】
請求項１６に記載のネットワークシステムにおいて用いられるユーザ装置であって、前記順方向リンク及び前記逆方向リンクのためのタイムスロットが割り当てられるユーザ装置。
【発明の詳細な説明】
【技術分野】
【０００１】
本発明は、ＴＤＤ  ＣＤＭＡ（時分割復信符号分割多元接続（Time-Division-Duplex Code Division Multiple Access））通信システムにおいてＰ２Ｐ通信をサポートするための方法及び装置、更に特定すると、ＴＤＤ−ＳＣＤＭＡ通信システムにおいてＰ２Ｐ通信プロセスの間にＵＥ（ユーザ装置（設備）（user equipment））にもたらされる信号干渉（signal interference）を低減するための方法及び装置に関する。
【背景技術】
【０００２】
従来の携帯（セルラ）通信システムにおいて、ＵＥ（ユーザ装置）は、二つの通信するＵＥの距離にもかかわらず基地局の中継（リレー）を通じてのみ他のＵＥと通信しなければならない。図１は、ＵＥ１とＵＥ２とが、基地局トランシーバ（すなわちノード（Ｎｏｄｅ）Ｂ）及びＲＮＣ（ラジオリソースコントローラ（Radio Resource controller））から構成されるＵＴＲＡＮを通じて相互に対話（通信）する従来（慣用）の通信モード（コンベンショナルコミュニケーションモード（conventional communication mode））を示しており、この通信モードはＵＰ−ＵＴＲＡＮ−ＤＯＷＮ（アップ−ＵＴＲＡＮ−ダウン）モードとも称される。しかしながら、同じセル内にキャンプインしている（とどまっている）二つのＵＥの間の距離が非常に近くなる場合、当該二つのＵＥは、基地局の中継器を通じてではなく、直接通信する方がより適当な態様となり得る。当該方法は、Ｐ２Ｐと略記されるいわゆるピアツーピア（peer-to-peer）通信である。
【０００３】
図２は、Ｐ２Ｐ通信モードを示している。図２に示されているように、破線は信号リンク（シグナリングリンク（signaling link））を表しており、実線はデータリンクに対するものであり、矢印は情報の流れ（インフォメーションフロー（information flow））の方向に対するものである。データリンクのみは二つの通信するＵＥの間に存在している一方、信号リンクのみはＵＴＲＡＮとＵＥとの間に存在している。基本通信（basic communication）を維持（保守）するためのリソース（資源）のみが必要とされることは仮定される。直接リンク（ダイレクトリンク（direct link））が、（固定周波数、タイムスロット、及び拡散符号（スプレッドコード（spread code）を備える）一つの無線リソースユニット（単位）とされる場合、Ｐ２Ｐ通信モードは、基本通信を維持するために二つの無線リソースユニットのみを必要とすることが容易に推論され得る。管理のための更なる信号送出コストが無視される場合、Ｐ２Ｐ通信は、従来の通信モードに比べて、約５０％の無線リソースを節減し得る。更に、ＵＴＲＡＮは依然Ｐ２Ｐ通信の制御、特に無線リソースを使用する方法を保有しているので、ワイヤレスネットワークオペレータは、Ｐ２Ｐ通信によって使用される無線リソースを容易に課金（チャージ）し得る。
【０００４】
時分割複信（Time Division Duplex (TDD)）空中（air）インタフェースが、異なるアップリンク及びダウンリンクトラヒック要求仕様に対してより高い柔軟性のある（フレキシブルな）適応性を提供する通信標準規格であることは通常認められている。ＴＤＤ通信モードに基づく既存の３Ｇシステムの間で、TD-SCDMA（時分割同期復信符号分割多元接続 (Time Division - Synchronization Code Division Multiple Access)）システムは、同じ搬送（キャリア）周波数がアップリンク通信とダウンリンク通信との両方に適用され、これによりＵＥのRF (無線周波数（高周波）（Radio Frequency)）モジュールが簡略化され得るため、Ｐ２Ｐ通信の従来の通信モードとの組み合わせに対して最も適切なシステムになる。
【０００５】
２００３年３月７日にコーニンクレッカ  フィリップス  エレクトロニクス  エヌ  ヴィ（KONINKLIJKE PHILIPS ELECTRONICS N.V.）社によって出願された"ワイヤレス通信ネットワークでＰ２Ｐ通信をもたらすための方法及び装置（A Method and Apparatus for Establishing P2P Communication in Wireless Communication Networks）"という名称（表題）の特許出願（代理人整理番号第ＣＮ０３０００３号、出願番号第０３１１９８９２．９号）に記載されているように、ワイヤレス通信ネットワークでＰ２Ｐ通信をもたらす（設ける）ための方法及び装置は、ＴＤ−ＳＣＤＭＡシステムを含むいかなるＴＤＤ  ＣＤＭＡ通信システムにも適しており、参照としてここに含まれている。
【０００６】
２００３年３月７日にコーニンクレッカ  フィリップス  エレクトロニクス  エヌ  ヴィ社によって出願された"ワイヤレス通信ネットワークにおけるＰ２Ｐ通信との無線リンク（接続路）設定及び維持（メンテナンス）のための方法及び装置（A Method and Apparatus for Radio Link Establishment and Maintenance with P2P Communication in Wireless Communication Networks）"という名称の特許出願（代理人整理番号第ＣＮ０３０００５号、出願番号第０３１１９８９５．３号）に記載されているように、ワイヤレス通信ネットワークにおけるＰ２Ｐ通信との無線リンク設定及び維持のための方法及び装置は、ＴＤ−ＳＣＤＭＡシステムを含むいかなるワイヤレス通信システムにも適しており、参照としてここに含まれている。
【０００７】
既存のＴＤ−ＳＣＤＭＡシステムと同じランダムアクセスプロシージャを通じてＵＴＲＡＮとのアップリンク同期がもたらされた後、ＵＥは、出願番号が第０３１１９８９２．９号である出願文献に記載の方法及び装置によって他のＵＥとのＰ２Ｐ直接リンクをもたらし、すなわち二つのＰ２Ｐ  ＵＥのために、関連する専用リソースを割り当て得る。それから、二つのＰ２Ｐ  ＵＥの間の直接リンクは、出願番号が第０３１１９８９５．３号である出願文献に記載の方法及び装置によりもたらされると共に維持され得るので、二つのＵＥはそれぞれ、割り当てられたスロットにおいてＰ２Ｐ信号を受信すると共に送信することが可能であり、従って二つのＵＥの間のＰ２Ｐ通信が実現され得る。
【０００８】
Ｐ２Ｐ通信モードを使用し得るＴＤ−ＳＣＤＭＡシステムにおいて、従来のＴＤ−ＳＣＤＭＡシステムに規定されているように二つの他の動作モード、すなわちアイドルモード（IDLE mode）及び接続モード（CONNECT mode）のほかに二つのＵＥの間の直接通信（direct communication）を記述するために直接モード（DIRECT mode）が導入される。直接モードにおける通信リンクは、一つのＵＥが他のＵＥに信号を送信するか、又は他のＵＥから信号を受信するために情報の流れの方向によって識別される順方向リンク（FORWARD link）（例えば、ＵＥ１からＵＥ２へのリンク）及び逆方向リンク（BACKWARD link）（例えば、ＵＥ２からＵＥ１へのリンク）として規定されることが可能である。Ｐ２Ｐ通信モードは、既存のＴＤ−ＳＣＤＭＡシステムと共にもたらされるため、同じタイムスロットに割り当てられるＵＴＲＡＮ、Ｐ２Ｐ通信するＵＥ、及び他の従来ＵＥは、順方向リンク又は逆方向リンクに転送される情報をオーバヒアし得る。すなわち、Ｐ２Ｐ通信は、従来のＴＤ−ＳＣＤＭＡシステムにおいてUP-UTRAN-DOWNモードを変更する。ＵＴＲＡＮからみて、たとえＵＥがＵＴＲＡＮと接続されていなくても、順方向リンク及び逆方向リンクは、あるアップリンクタイムスロット及び／又はダウンリンクスロットと関連付けられる（順方向リンク及び逆方向リンクは、異なるリソース割り当て方式に依存して異なるアップリンクタイムスロット及び／又はダウンリンクスロットに対応し得る）。それ故に、Ｐ２Ｐ通信は、従来の通信に信号干渉をもたらすであろう。同様に、二つのＰ２Ｐ通信するＵＥは、Ｐ２Ｐ通信の間、自身の順方向リンク又は逆方向リンクと関連付けられるアップリンクタイムスロット又はダウンリンクスロットにおいて転送される情報もオーバヒアし得る。それ故に、従来のリンクが同じタイムスロットをＰ２Ｐリンクと共有するとき、従来のアップリンク又はダウンリンク通信はＰ２Ｐ順方向リンク又は逆方向リンク通信と干渉するであろう。このことは、Ｐ２Ｐによりイネーブルされた（P2P-enabled）ＴＤＤ  ＣＤＭＡ通信システムの性能を低下させる。
【０００９】
Ｐ２ＰによりイネーブルされたＴＤＤ  ＣＤＭＡ通信システムの性能を改善するために、Ｐ２Ｐ通信モードをＴＤ−ＳＣＤＭＡシステムに導入することによってもたらされる信号干渉を効果的に低減することが必要になる。
【００１０】
まず最初に、Ｐ２Ｐ通信モードを導入することによってもたらされる干渉信号に対する分析が以下に行われ、それから干渉信号を低減する方法が記載されるであろう。簡略化のために、一つのＵＥが上記の順方向リンク又は逆方向リンクを通じて他のＵＥに信号を送信するタイムスロットは送信（Ｔｘ）タイムスロット（Tx timeslot）と称される一方、ＵＥが上記の順方向リンク又は逆方向リンクを通じて他のＵＥから信号を受信するタイムスロットは受信（Ｒｘ）タイムスロット（Rx timeslot）と称され、Ｔｘタイムスロット及びＲｘタイムスロットはそれぞれ、従来の通信におけるサブフレームにおいてアップリンクタイムスロット及び／又はダウンリンクタイムスロットと関連している。
【００１１】
１．Ｐ２Ｐリンクと従来のリンクとの間のアップリンクタイムスロットと関連付けられる干渉
【００１２】
図３は、Ｐ２Ｐリンクがアップリンクタイムスロットと関連しているときの、Ｐ２ＰでイネーブルされたＴＤ−ＳＣＤＭＡシステムにおけるＰ２Ｐリンクと従来のリンクとの間の干渉を示している。図３に示されているように、ＵＥ１及びＵＥ２はＰ２Ｐモードで動作し、ＵＥ３は従来モードで動作し、ＵＥ１のＴｘタイムスロットはＵＥ３のアップリンクタイムスロットと関連付けられ、すなわちＵＥ１及びＵＥ３は、ＵＥ２及びＵＴＲＡＮにそれぞれ信号を送信するように同じアップリンクタイムスロットにおいて割り当てられることが仮定される。Ｓ１は、（順方向リンクとされる）直接リンクを通じたＵＥ１からＵＥ２への情報であり、Ｓ２は、ＵＥ３からアップリンクを介してＵＴＲＡＮに送信されるアップリンク情報であり、更には、Ｓ１とＳ２との両方は、異なる拡散符号ではなく同じアップリンクタイムスロットに関連している。
【００１３】
ＴＤ−ＳＣＤＭＡ通信システムにおいて、最も重要な特徴の一つはアップリンク動作を維持することにあり、このことは、異なるＵＥの主経路（メインパス（main path））からの信号の拡散符号の直交性を保証するように、異なるＵＥからの信号が同時にＵＴＲＡＮに達するべきであることを意味する。このように、システム性能はいくつかの高度受信器（レシーバ）アルゴリズム（advanced receiver algorithm）によって非常に改善されることが可能であり、アルゴリズムに対する計算の複雑性が非常に軽減され得る。
【００１４】
従来の通信システムに対して、ＵＴＲＡＮは、情報供給元、情報供給先、又は中継器として全ての進行中の通信プロシージャに含まれるので、ＵＴＲＡＮは、接続モードで特定のトラヒックバースト構造体によりＵＥのアップリンク送信時間をモニタ（監視）すると共に制御することが可能であり、それ故に各々のＵＥに対してアップリンク同期を維持することが可能である。しかしながら、Ｐ２Ｐ通信モードにおいて、ＵＴＲＡＮはリンク設定プロシージャに含まれるだけであり、その後、Ｐ２Ｐ通信プロシージャに含まれない。それ故に、Ｐ２Ｐ通信の間、ＵＴＲＡＮと二つのＰ２Ｐ  ＵＥとの間に専用チャネルは存在せず、たとえＵＴＲＡＮが二つのＰ２Ｐ  ＵＥのアップリンク同期シフトをオーバヒアすると共に推定しても、ＵＴＲＡＮは、アップリンク同期を維持するように特定のトラヒックバーストを使用することによって信号を送信する二つのＰ２Ｐ  ＵＥの同期進行（synchronization advance）を調整し得ない。
【００１５】
図３を参照すると、ＵＥ１及びＵＥ３が同じアップリンクタイムスロットにおいて信号を送信するとき、ＵＴＲＡＮは、ＵＥ１からＵＥ２に転送される情報Ｓ１（ＵＴＲＡＮにとって、Ｓ１は干渉信号Ｉ１とみなされる）をオーバヒアし得る。しかしながら、上記のように、ＵＴＲＡＮとＵＥ１との間に専用のチャネルが存在しないので、たとえＵＴＲＡＮが情報Ｓ１をオーバヒアし得ると共にＵＥ１の同期シフト情報を推定し得ても、ＵＴＲＡＮは、従来の通信モードでトラヒックバーストを使用することによってＵＥ１の送信時間を調整し得ず、このことは、Ｐ２Ｐモードで動作するＵＥ１が、ＵＴＲＡＮとのアップリンク同期を失ってもよいことを意味する（従来モードで動作するＵＥ３は従来態様でＵＴＲＡＮとのアップリンク同期を維持し得る）。すなわち、Ｉ１及びＳ２は、ＵＴＲＡＮに非同期に達する可能性があり、このことはことによるとアップリンク同期を損ない、それ故にシステム性能を低下させるであろう。
【００１６】
同様に、ＵＥ１及びＵＥ３が、同じ割り当てられたアップリンクタイムスロットにおいて信号を送信するとき、ＵＥ２は、ＵＥ３からＵＴＲＡＮに転送される信号Ｓ２をオーバヒアすることも可能であり（ＵＥ２にとって、Ｓ２は干渉Ｉ２とみなされる）、干渉信号Ｉ２は、Ｓ１を受信するためにＵＥ２にも強い影響をもたらし、このことはことによるとＰ２Ｐ通信の特性（質）を害し得る。
【００１７】
２．Ｐ２Ｐリンクと従来リンクとの間のダウンリンクタイムスロットに関連する干渉
【００１８】
図４は、Ｐ２Ｐリンクがダウンリンクタイムスロットと関連しているときの、Ｐ２ＰでイネーブルされたＴＤ−ＳＣＤＭＡシステムにおける従来のリンクとＰ２Ｐリンクとの間の干渉を示している。図４に示されているように、ＵＥ１及びＵＥ２はＰ２Ｐモードで動作し、ＵＥ３は従来モードで動作し、ＵＥ１のＲｘタイムスロットはＵＥ３のダウンリンクタイムスロットと関連しており、すなわちＵＥ１及びＵＥ３は、ＵＥ２及びＵＴＲＡＮからそれぞれ信号を送信するように同じダウンリンクタイムスロットにおいて割り当てられることが仮定される。Ｓ３は、（逆方向リンクとされる）直接リンクを介したＵＥ２からＵＥ１へのＰ２Ｐリンク情報であり、Ｓ４は、ダウンリンクを介したＵＴＲＡＮからＵＥ３へのダウンリンク情報であり、更には、Ｓ３とＳ４との両方は、異なる拡散符号ではなく同じダウンリンクタイムスロットに関連している。
【００１９】
図４において、ＵＴＲＡＮからＵＥ３に送信されるダウンリンク情報Ｓ４は、ＵＥ３と同じダウンリンクタイムスロットを共有するが、信号を受信するために異なる拡散符号を使用する他のＵＥに干渉をもたらし得る。当該干渉は、マルチアクセス（多元接続）干渉（multi-access interference (MAI)）と称される。
【００２０】
図４を参照すると、ＵＥ１及びＵＥ３が、信号を受信するために同じダウンリンクタイムスロットにおいて割り当てられるとき、ＵＥ１は、ダウンリンクを介してＵＴＲＡＮからＵＥ３に転送される情報Ｓ４（ＵＥ１にとって、Ｓ４は干渉信号Ｉ４とみなされる）をオーバヒアすることが可能であり、通常、ＵＴＲＡＮからの信号の送信電力は比較的強くなるので、干渉信号Ｉ４は直接通信の特性（質）を深刻に害する可能性がある。
【００２１】
同様に、ＵＥ１及びＵＥ３が、信号を受信するために同じダウンリンクタイムスロットにおいて割り当てられるとき、ＵＥ３は、ＵＥ２からＵＥ１に転送される情報Ｓ３もオーバヒアすることが可能であり（ＵＥ３にとって、Ｓ３は干渉Ｉ３とみなされ、同時にＵＥ２は擬似ＵＴＲＡＮ（pseudo-UTRAN）とみなされ得る）、干渉信号Ｉ３は、信号を受信するためにＵＥ３と同じタイムスロットにおける他のＵＥとＵＥ２の近くのＵＥ３との通信特性を害するであろう。
【００２２】
３．Ｐ２Ｐ直接リンク対の間の干渉
【００２３】
図５は、二つのＰ２Ｐリンク対のうちの一方におけるＵＥが、他方のＰ２Ｐリンク対におけるＵＥへの信号を受信すると共に送信する、Ｐ２ＰでイネーブルされたＴＤ−ＳＣＤＭＡシステムにおける二つのＰ２Ｐ直接リンク対の間の干渉を示している。ＵＥ１及びＵＥ２は一方のＰ２Ｐリンク対において動作するが、ＵＥ３及びＵＥ４は他方のＰ２Ｐリンク対において動作する。
【００２４】
Ｐ２Ｐリンク対は対称的であるため、ＵＥ１からＵＥ２への信号Ｓ５又はＳ６は、関連するタイムスロットにおいてＵＥ３から信号を受信しているＵＥ４に対する干渉Ｉ５又はＩ６になるであろう。明らかなことに、干渉Ｉ５又はＩ６は直接通信の特性を著しく害し得る。
【００２５】
上記で注意されるように、Ｐ２Ｐリンクが従来のＴＤ−ＳＣＤＭＡシステムにおいて導入された後、六つの可能な干渉信号I1, I2, I3, I4, I5,  及びI6が存在する。ＵＴＲＡＮが含まれるかどうかに依存して、上記六つの干渉信号は二つの形式に分割され得る。第一の形式は、I2, I3, I5, 及びI6のようなＵＥの間の干渉を含み、第二の形式は、I1及びI4のような、含まれるＵＴＲＡＮとの干渉を含む。
【００２６】
Ｐ２ＰでイネーブルされたＴＤ−ＳＣＤＭＡシステムの通信特性を保証するために、上記六つの干渉信号を打ち消すために効果的な方法が研究されることは必要とされる（既存の通信システムの物理層（レイヤ）構造体を変化させることなく、このことが達成されることはより望ましい）。
【００２７】
第一の形式の干渉信号Ｉ１に関して、干渉信号Ｉ１を打ち消すための二つの方法及び装置が、２００３年３月７日にコーニンクレッカ  フィリップス  エレクトロニクス  エヌ  ヴィ（KONINKLIJKE PHILIPS ELECTRONICS N.V.）社によって出願された"ワイヤレス通信ネットワークにおけるＰ２Ｐ通信とのアップリンク同期維持のための方法及び装置（A Method and Apparatus for Uplink Synchronization Maintenance with P2P Communication in Wireless Communication Networks）"という名称の特許出願文献（代理人整理番号第ＣＮ０３０００４号、出願番号第０３１１９８９４．５号）と、２００３年３月７日にコーニンクレッカ  フィリップス  エレクトロニクス  エヌ  ヴィ社によって出願された"ワイヤレス通信ネットワークにおけるＰ２Ｐ通信とのアップリンク同期維持のための方法及び装置（A Method and Apparatus for Uplink Synchronization Maintenance with P2P Communication in Wireless Communication Networks）"という名称の他の同時係属中の特許出願文献（代理人整理番号第ＣＮ０３０００４号）とに記載されていると共に参照としてここに含まれている。
【００２８】
第一の形式の干渉信号Ｉ４に関して、干渉信号Ｉ４を打ち消すための二つの方法及び装置が、２００３年４月１４日にコーニンクレッカ  フィリップス  エレクトロニクス  エヌ  ヴィ社によって出願された"ＴＤＤ  ＣＤＭＡ通信システムにおいてＰ２Ｐ通信をサポートするための方法及び装置（A Method and Apparatus for Supporting P2P Communication in TDD CDMA Communication Systems）"という名称の特許出願文献（代理人整理番号第ＣＮ０３０００９号、出願番号第０３１１０４１５．０号）に詳細に記載されていると共に参照としてここに含まれている。
【００２９】
第二の形式の干渉信号I2, I3, I5, 及びI6（まとめてＩａｊと称される）に関して、当該信号は、Ｐ２Ｐ通信によってサポートされる無線帯域（範囲）（radio range）を効果的に制限すると共に、無線リソース制御方式（radio resource control scheme）を採用することによって低減され得るか、又は打ち消され得る。制限されたＰ２Ｐ無線帯域を考慮して、本発明は干渉信号Ｉａｊを打ち消すための方式を提案する。当該方式は、同じセルにおいてＰ２Ｐ  ＵＥと他のＵＥとの間の相互の干渉状態を（例えば位置情報を通じて）得ることによって、並びに異なるタイムスロットをＰ２Ｐ  ＵＥ及びその隣接するＵＥに割り当てることによって干渉信号Ｉａｊを低減し得る。
【発明の開示】
【発明が解決しようとする課題】
【００３０】
本発明の目的は、Ｐ２Ｐ通信モードをＴＤＤ  ＣＤＭＡ通信システムに導入することによってもたらされる干渉を低減するように、ＴＤＤ  ＣＤＭＡ通信システムにおいてＰ２Ｐ通信をサポートするための方法及び装置を提供することにある。
【課題を解決するための手段】
【００３１】
本発明の目的を達成するために、本発明によりワイヤレス通信システムにおけるネットワークシステムによって実行される、Ｐ２Ｐ（ピアツーピア（Peer to Peer））通信を導入することによってもたらされる干渉信号を打ち消すための方法であって、（i）セルにおいてアップ−ＵＴＲＡＮ−ダウンモードで通信するためにＵＥから呼出し要求（コールリクエスト（ｃａｌｌ  ｒｅｑｕｅｓｔ））を受信するステップと、（ii）セルにおいてＵＥと通信する選択されたＰ２Ｐ及びＵＥの相対的な位置により、ＵＥが適切なタイムスロットにおいて通信するとき、ＵＥは前記適切なタイムスロットにおいて割り当てられる前記選択されたＵＥによって送信されるＰ２Ｐ信号によって干渉されることを回避するために、いくつかの利用可能なタイムスロットにおいて少なくとも一つの好適なリンクタイムスロットは存在するかどうかを判断するステップと、（iii）ＵＥからの前記呼出し要求を承認（許可）すると共に、前記適切なタイムスロットが利用可能である場合、前記適切なタイムスロットを前記ユーザ装置に割り当てるステップとを有する方法が提供される。
【００３２】
上記の目的を達成するために、本発明によりワイヤレス通信システムにおけるネットワークシステムによって実行される、Ｐ２Ｐ通信を導入することによってもたらされる干渉信号を打ち消すための他の方法であって、（I）セルにおけるユーザ装置からＰ２Ｐ通信モードで他のユーザ装置と通信するための呼出し要求を受信するステップと、（II）セルにおいて無線リソースが既に割り当てられている選択されたＵＥ並びに前記ＵＥ及び前記他のＵＥの相対的な位置により、前記ＵＥ及び前記他のＵＥは前記適切なタイムスロットにおいてＰ２Ｐモードで通信しているとき、前記ＵＥ及び前記他のＵＥが、前記適切なタイムスロットにおいて無線リソースが既に割り当てられている前記選択されたＵＥへのＰ２Ｐ信号の干渉をもたらすことを回避するために、いくつかの利用可能なタイムスロットにおいて少なくとも二つの適切なタイムスロットは存在するかどうかを判断するステップと、（III）前記ＵＥからの前記呼出し要求を承認すると共に、前記適切なタイムスロットが存在する場合、前記適切なタイムスロットを前記ＵＥ及び前記他のＵＥに割り当てるステップとを有する他の方法が提供される。
【発明を実施するための最良の形態】
【００３３】
Ｐ２ＰによりイネーブルされたＴＤ−ＳＣＤＭＡ通信システムにおける干渉信号の上記分析によれば、本発明は主に、干渉信号Ｉａｊを低減すること、すなわち、Ｐ２Ｐ通信モードが導入された後のＵＥの間の干渉信号の問題に注目する。
【００３４】
Ｉａｊは、同じセル内、且つＰ２Ｐ  ＵＥの無線帯域内に割り当られるＰ２Ｐ  ＵＥと他のＵＥとの間に存在する。干渉信号Ｉａｊを低減するために、当該ＵＥの間の帯域は増大させられ得るので、Ｐ２Ｐ  ＵＥと同じタイムスロットにおいて割り当てられる他のＵＥは、Ｐ２Ｐ  ＵＥの無線帯域から外れ、それ故にＰ２Ｐ信号によって干渉されることを回避する。しかしながら、通信時間及び位置の不規則性（乱雑さ（randomicity））ために、実際の通信においてある帯域内で二つのＵＥの間の距離を制御することは、多くの場合、非常に困難となる。従って、ある帯域内に入るＵＥにとって、異なるタイムスロットを割り当てることによって干渉信号Ｉａｊを低減することはより効果的な解決策となる。
【００３５】
ＴＤ−ＳＣＤＭＡシステムを例にとり、添付図面に関して、干渉信号Ｉａｊを低減するために本発明においてもたらされる方法に対して詳細な記載が以下にもたらされるであろう。
【００３６】
図６は、本発明における第一の方法を採用することによって干渉信号Ｉａｊを低減するためのタイムスロット割り当てマップ（timeslot allocation map）を示している。図６に示されている例において、Ｐ２Ｐ  ＵＥの対、Ｐ１及びＰ２と、従来のアップ−ＵＴＲＡＮ−ダウン通信モードを使用する四つのＵＥ、ＵＥａ、ＵＥｂ、ＵＥｃ、及びＵＥｄとがもたらされている。タイムスロット割り当てが図６に示されている。５ｍｓの時間長（time length）を備えると共に６４００チップから構成されるサブフレームにおいて、Ｔｓ０はダウンリンク通信トラヒックに対するものであり、Ｔｓ１はＰ２Ｐ  ＵＥの順方向トラヒック（Ｐ１が送信し、Ｐ２が受信する）に対するものであり、Ｔｓ２はＰ２Ｐ  ＵＥの逆方向トラヒック（Ｐ２が送信し、Ｐ１が受信する）に対するものであり、Ｔｓ３は、従来のアップ−ＵＴＲＡＮ−ダウン通信モードを使用するＣＤＭＡモードによるＵＥａ、ＵＥｂ、ＵＥｃ、及びＵＥｄのアップリンクトラヒックに対するものであり、Ｔｓ４は、従来通信モードを使用するＵＥａのダウンリンクトラヒックに対するものであり、Ｔｓ５は、従来通信モードを使用するＵＥｂのダウンリンクトラヒックに対するものであり、Ｔｓ６は、従来の通信モードを使用するＣＤＭＡモードによるＵＥｃ及びＵＥｄのダウンリンクトラヒックに対するものである。図６に示されている方法において、本方法の骨子は、図６におけるＴｓ１及びＴｓ２のようなＰ２Ｐ  ＵＥの対によって占有される二つのタイムスロットに対して、従来の通信モードを使用する他のＵＥ及びＰ２Ｐ  ＵＥの他の対が割り当てられないことにある。すなわち、Ｐ２Ｐリンクの順方向リンク及び逆方向リンクによって占有されるタイムスロットは、二つのＰ２Ｐ通信するＵＥによって排他（独占）的に占有される。
【００３７】
図６に示されているようなタイムスロット割り当て方法は容易に実現され得る。しかしながら、Ｐ２Ｐ  ＵＥによって占有されるタイムスロットは、ＣＤＭＡモードを採用することによって他のＵＥと共有され得ないので、全システムは実際、ピュア（純）ＴＤＭＡ（pure TDMA）との通信モードに変化させられており、これにより、通信システムの性能が非常に低減させられる。それ故に、同じタイムスロットにおいて割り当てられるＵＥの間の干渉信号Ｉａｊを低減すると共にＣＤＭＡモードを使用し続け、それ故にシステム性能を効果的に拡張させるのに、より高性能（高機能）のタイムスロット割り当て方法が必要とされる。
【００３８】
図７は、本発明における第二の方法を採用することによって干渉信号Ｉａｊを低減するためのタイムスロット割り当てマップを示している。第二の方法において、Ｐ２Ｐ ＵＥは、ＣＤＭＡモードによって他のＵＥとタイムスロットを共有し得るが、無線信号干渉は、同じタイムスロットにおいて割り当てられる他のＵＥとＰ２Ｐ ＵＥとの間にもたらされないことが保証されるべきであり、さもなければ、前記共有は達成され得ない。このことを更に明確にするために、Ｐ２Ｐ ＵＥＰｙがＣＤＭＡモードによって、従来の通信モードにおけるＵＥ又はＰ２Ｐ通信モードを使用するＵＥになり得るＵＥｘとタイムスロットを共有し得る場合、Ｐｙ及びＵＥｘのうちの一方は信号を送信しているが他方が信号を受信しているとき、信号を送信するＵＥは、正確に信号を受信するように信号を受信している他のＵＥに対して干渉をもたらさないであろう。すなわち、当該タイムスロットにおいて、ＰｙがＴｘ状態にあり、ＵＥｘがＲｘ状態にある場合、ＵＥｘは、信号を受信するときにＰｙによって干渉されないであろう。同様に、当該タイムスロットにおいて、ＵＥｘがＴｘ状態にあり、ＰｙがＲｘ状態にある場合、Ｐｙは、信号を受信するときにＵＥｘによって干渉されないであろう。
【００３９】
要するに、本発明における第二の方法の骨子は、ＵＥが他のＰ２Ｐ  ＵＥの無線帯域内に入る場合、Ｐ２Ｐ通信によってもたらされる干渉Ｉａｊを低減するためにＵＥは異なるタイムスロットにおいて割り当てられなければならず、ＵＥが他のＰ２Ｐ  ＵＥから離れている場合、ＵＥはＰ２Ｐ  ＵＥによって干渉されないという条件で、二つのＵＥはＣＤＭＡモードによって同じタイムスロットを共有する（すなわち、一方のＵＥはＴｘ状態にあるが、他方のＵＥはＲｘ状態にある）ことが可能であり、それ故にシステム性能が向上させられることにある。
【００４０】
第二の方法におけるタイムスロット割り当て要求によれば、セルにキャンプインしているＵＥが呼出し要求（本要求は、Ｐ２Ｐモードで通信するためのものであるか、又は従来のアップ−ＵＴＲＡＮ−ダウンモードで通信するためのものである）を基地局に送信するとき、基地局システムは要求に含まれる呼び出されたＵＥに関する情報に依存して、呼び出されたＵＥにページングメッセージを送信し、その後、呼び出されたＵＥからＡＣＫメッセージを受信する。当該プロセスの間、基地局システムは、ＡＣＫメッセージ及び呼出し要求に含まれる情報により、呼び出すＵＥ及び呼び出されたＵＥに関する位置情報を得ることが可能であり、呼び出すＵＥ及び呼び出されたＵＥをテスト（検査）することも可能であり、呼び出すＵＥ及び呼び出されたＵＥからの情報により、呼び出すＵＥ及び呼び出されたＵＥに関する位置情報を得ることが可能である。
【００４１】
それから、基地局システムは、各々のＵＥの位置情報により、当該距離はＰ２Ｐ  ＵＥがＰ２Ｐ信号を送信するための無線帯域を超えるかどうかを決定するために、各々のＰ２Ｐ通信するＵＥと他の通信するＵＥとの間の距離を計算する。当該距離はＰ２Ｐ無線帯域を超えることが決定される場合、ＵＥ及びＰ２Ｐ  ＵＥは、それらの各通信を実行するために同じタイムスロットを共有し得る。当該距離はＰ２Ｐ無線帯域を超えないことが決定される場合、ＵＥ及びＰ２Ｐ  ＵＥは、各々の通信を実行するために異なるタイムスロットにおいて割り当てられなければならない。
【００４２】
明らかなことに、第二の方法におけるタイムスロット割り当ては、第一の方法におけるタイムスロット割り当てよりも複雑になる。しかしながら、第二の方法の場合、間の距離はＰ２Ｐ無線帯域を超えるＰ２Ｐ  ＵＥと他のＵＥとは、ＣＤＭＡモードを採用することによってそれらの各通信を実行するために同じタイムスロットを利用し得る。従って、タイムスロットを割り当てるために第二の方法を採用する無線システムは、第一の方法を採用する無線システムよりも著しく高い性能を実現し得る。
【００４３】
記載されているように上記の第二の方法において、ＵＥは、ＵＥとＰ２Ｐ  ＵＥ  Ｐｉとの間の距離がＰ２Ｐ  ＵＥの無線帯域を超えるかどうかにより二つのセットに分類され得る。二つのＵＥの間の距離がＰ２Ｐ  ＵＥの無線帯域を超える場合、ＵＥは、Ｐ２Ｐ干渉の影響を受けることなく複数のＵＥに属し、Ｐｉと同じタイムスロットを共有し得る共有可能なセットＹｐｉに分類（カテゴリ分け）され得る。さもなければ、ＵＥは、Ｐ２Ｐ干渉の影響を受けながら複数のＵＥに属し、Ｐｉと同じタイムスロットを共有し得ない非共有のセットＸｐｉに分類されるべきである。当然のことながら、ＸｐｉとＹｐｉとの両方は、ＰｉとＰ２Ｐ通信を行っている他のＰ２Ｐ  ＵＥ  Ｐｉ＋１を含まない。
【００４４】
図７は、ＴＤ−ＳＣＤＭＡサブフレームにおけるタイムスロット割り当てを示しており、各々のタイムスロットは、上記の第二の方法の要求により、Ｐ２Ｐ干渉がない場合のＵＥ及びＰ２Ｐ干渉がある場合のＵＥを示している。図７が示しているように、６４００チップから構成され、５ｍｓの時間長を備えるサブフレームにおいて、Ｐ２Ｐ  ＵＥ  Ｐ１及びＰ２の一対のみと、四つの従来のUE、UEa, UEb, UEc, 及びUedと、更にXP1＝{UEa}, YP1＝{ UEb，UEc，UEd}, XP2＝{UEa，UEb }, 及びYP2＝{UEc，UEd}とが存在することが仮定される。タイムスロットは、P1が送信し、P2が受信し、UEbがダウンリンク受信するためのTs5、P1が受信し、P2が送信し、UEc及びUEdがダウンリンク受信するためのTs6、UEaがダウンリンク受信するためのTs4、ダウンリンク共通トラヒックのためのTs0、UEa及びUEbのアップリンクトラヒックのためのTs1、UEcのアップリンクトラヒックのためのTs2、UEdのアップリンクトラヒックのためのTs3として割り当てられ得る。
【００４５】
以下、図４を例にとることによって、上記の第二の方法におけるタイムスロット割り当てに対して更なる記載がもたらされるであろう。上記のように、図４において、ＵＥ１及びＵＥ２はＰ２Ｐモードで通信するＰ２Ｐ  ＵＥの対である一方、ＵＥ３は従来モードで通信する従来ＵＥである。ＵＥ２及びＵＥ３についての位置情報により、ＵＥ２とＵＥ３との間の距離は、ＵＥ２がＰ２Ｐ信号を送信するための無線帯域を超えるかどうかを基地局システムは計算する。ＵＥ２とＵＥ３との間の距離は、ＵＥ２がＰ２Ｐ信号を送信するための無線帯域を超える場合、ＵＥ１及びＵＥ３は、ＵＥ２からの情報Ｓ３及び基地局システムからの情報Ｓ４を各々受信するように同じタイムスロットにおいて割り当てられ得る。ＵＥ２によって送信される信号はＵＥ３に達し得ないので、ＵＥ３は、ＵＥ２からのＰ２Ｐ信号Ｉ３によって干渉されることを回避し得る。
【００４６】
同様に、Ｐ２Ｐ通信モードを導入するＴＤ−ＳＣＤＭＡシステムの通信特性を保証するように、図３及び図５における干渉信号Ｉ２、Ｉ５、及びＩ６は、第二の方法におけるタイムスロット割り当て要求により全て打ち消され（キャンセルされ）得る。
【００４７】
図８、９、及び１０に関して上記の第二の方法に対して以下更なる詳細な記載がもたらされるであろう。ここで、Ｄは、Ｐ２Ｐ干渉信号によって達せられ得る無線帯域の閾値である。Ｐ２Ｐ  ＵＥと他のＵＥとの間の距離がＤを超えるとき、当該ＵＥは同じタイムスロットにおいて割り当てられることが可能であり、さもなければ、それらは同じタイムスロットにおいて割り当てられ得ない。値がネットワークシステムの特定の要求仕様によりセットされ得るある期間Ｔｐ毎に基地局システムによって高機能リソース制御方式（intelligent resource control scheme）を実行することを通じて再度割り当てられるように、タイムスロットの割り当ては一度行われ得る。
【００４８】
図８が示しているように、最初に、基地局システムは、セルにおける全ての通信するＵＥの位置情報を含む、セルにおける現在のリソース割り当てステータスを取得し（ステップＳ１）、セルにおけるＰ２Ｐ通信するＵＥの対の数Ｎｐ及び同期モードを取得し（ステップＳ２）、セルにおける現在進行中の従来のＵＥの数Ｎｎを取得する（ステップＳ３）。ここで、（i）ＵＥについての位置情報は、基地局の測定値又は基地局に対するＵＥのレポートに含まれることが可能であり、（ii）基地局システムは、セルにおけるＵＥがＰ２Ｐ通信モードにあるか、又は従来の通信モードにあるかを識別し、Ｐ２Ｐ通信モードにおけるＵＥの情報を再生（リストア）することが可能であり、（iii）Ｐ２Ｐ通信におけるアップリンクタイムスロット／ダウンリンクタイムスロットの占有は、各々のＰ２Ｐ  ＵＥの同期モードが取得された後にのみ知られ得るため、Ｐ２Ｐ  ＵＥの対の数Ｎｐが取得されるとき、各々のＰ２Ｐ  ＵＥの同期モードが取得されることも必要である。
【００４９】
それから、高機能リソース制御方式は最後に実行されるため、従来ＵＥからの従来アップ−ＵＴＲＡＮ−ダウンモードで通信するための新たな呼出し要求が存在するかどうかを確認する（ステップＳ４）。当該呼出し要求が存在する場合、ＵＥの位置情報により、いくつかの利用可能なタイムスロットにおいて少なくとも一つの好適なリンクタイムスロットが存在するかどうかを計算し、ここで、リンクタイムスロットはアップリンクタイムスロット又はダウンリンクタイムスロットになることが可能であり、好適なタイムスロットはなおも、ＵＥに割り当てられた後に通信ネットワークの通信要求仕様を満足することが可能である。すなわち、ＵＥが前記好適なタイムスロットにおいて従来モードで通信するとき、ＵＥはセルにおける他のＰ２Ｐ通信するＵＥによって干渉されないであろう（ステップＳ５）。このステップは、図９に関して後に詳細に記載されるであろう。当該好適なタイムスロットが存在しない場合、従来のＵＥからの新たな呼出し要求は拒否する（ステップＳ７）。このような好適なタイムスロットが存在する場合、従来のＵＥからの新たな呼出し要求は承認されるであろう（ステップＳ６）。従来のＵＥからの全ての呼出し要求に対して、要求仕様を満足する全ての従来の呼出し要求を承認するために上記のステップＳ４乃至Ｓ７を繰り返す。
【００５０】
従来の呼出し要求が処理された後、高機能リソース制御方式は最後に実現されるため、ＵＥからＰ２Ｐモードで通信するための新たな呼出し要求が存在するかどうかを確認する（ステップＳ８）。このような呼出し要求が存在する場合、Ｐ２Ｐ通信に含まれるＵＥ及び他のＵＥ（すなわち呼び出される方（コーリー（callee）））についての位置情報により、（二つのアップリンクタイムスロット若しくは二つのダウンリンクタイムスロット又はアップリンク及びダウンリンクタイムスロットになり得る）少なくとも二つの好適なタイムスロットがいくつかの利用可能なタイムスロットに存在するかどうかを計算する。ここで、二つの好適なタイムスロットは、二つのＵＥに再度割り当てられた後もなお、通信ネットワークのアップリンク及び／又はダウンリンク通信要求仕様を満足し得る。すなわち、ＵＥが、呼び出されたＵＥとのＰ２Ｐ通信を実行するとき、ＵＥは、他の通信するＵＥ及び無線リソースが既に割り当てられている他のＵＥ（例えば、従来の呼出し要求がちょうど承認された上記のＵＥ）に対してＰ２Ｐ干渉をもたらさないであろう（ステップＳ９）。当該ステップは、図１０に関して以下詳細に記載されるであろう。このような好適なタイムスロットが存在しない場合、ＵＥからの新たなＰ２Ｐ呼出し要求を拒否する（ステップＳ１０）。このような好適なタイムスロットが存在する場合、ＵＥからの新たなＰ２Ｐ呼出し要求は承認されるであろう（ステップＳ１１）。ＵＥからの全ての新たなＰ２Ｐ呼出し要求に対して、要求仕様を満足する全てのＰ２Ｐ呼出し要求を承認するために上記のステップＳ８乃至Ｓ１１を繰り返す。
【００５１】
従来の呼出し要求及びＰ２Ｐ呼出し要求が処理された後、上記のステップを通じて承認された全てのＰ２Ｐ呼出し要求及び全ての従来の呼出し要求により、セルにおいて各々のＰ２Ｐ通信に含まれる二つのＰ２Ｐ  ＵＥ及び従来のＵＥに対してアップリンク及びダウンリンクタイムスロットを再度割り当てるので、各々のＵＥは、割り当てられた好適なタイムスロットにおいて従来及びＰ２Ｐ通信を実行し得る（ステップＳ１２）。
【００５２】
通信リソースが上記の高機能リソース制御方式で再度割り当てられた後、待機状態（ウェイティングステート（waiting state））に入る。無線リソース再割り当てタイマ（radio resource reallocation timer）がチャネル割り当ての期間Ｔｐに達するとき、最初に無線リソース再割り当てタイマをリセットし、タイマを再開（リスタート（restart））し、それから上記のステップＳ１乃至Ｓ１２におけるプロシージャを繰り返す（ステップＳ１３）。
【００５３】
図９において、前記好適なタイムスロットは、上記のステップＳ５としてＵＥについての位置情報による計算を通じて決定され得ることが詳細に記載されているので、ＵＥが、前記好適なタイムスロットにおいて通信するように割り当てられるとき、通信ネットワークのアップリンク及びダウンリンク通信要求仕様は満たされ得る。以下、より具体的にされる。
【００５４】
最初に、従来の呼出し要求を送信するＵＥについての位置情報を取得する。ここで、位置情報は、基地局に対するＵＥのレポートに含まれ得るか、又は基地局システムの測定値によってＵＥからの情報から取得され得る（ステップＳ２０）。
【００５５】
それから、第一の通信するＰ２Ｐ  ＵＥから開始され（ステップＳ２１）、従来の呼出し要求を送信するＵＥ（後に従来の要求するＵＥと称される）とセルにおいてそれぞれ相互にＰ２Ｐ通信するＵＥとの間の距離を計算する（又は従来の要求するＵＥと選択されたＰ２Ｐ  ＵＥの一部との間の距離を単に計算し、ここで、選択されたＰ２Ｐ  ＵＥは従来の要求するＵＥと通信すると共にある帯域内に入るＵＥである）。従来の要求するＵＥとＰ２Ｐ  ＵＥとの間の距離が閾値Ｄを超える場合、従来の要求するＵＥを、Ｐ２Ｐ  ＵＥと同じタイムスロットを共有し得るＵＥとしてマーク（記録（mark））し、すなわち、従来の要求するＵＥをＰ２Ｐ  ＵＥの共有可能なセットに分類する。さもなければ、従来の要求するＵＥを、Ｐ２Ｐ  ＵＥと同じタイムスロットを共有し得るＵＥとしてマークし、すなわち、従来の要求するＵＥをＰ２Ｐ  ＵＥの非共有セットに分類する（ステップＳ２２）。
【００５６】
セルにおいて各々のＰ２Ｐ通信するＵＥに対して上記のマーキングプロシージャを実行する（ステップＳ２３）。セルにおいて全てのＰ２Ｐ通信するＵＥに対して上記のマーキングプロシージャが実行された後（ステップＳ２４）、全ての存在するＰ２Ｐ  ＵＥ及び上記従来の要求するＵＥの動作原理を共有するチャネルを考慮して、従来の通信が追加される場合、システムを再構成した後、再度割り当てられたタイムスロット及びコード等のような無線チャネルリソースはなおもアップリンク及びダウンリンク通信要求仕様を満たし得るかどうかを確認する。すなわち、いくつかの利用可能なタイムスロットにおける一つ又はそれより多くのアップリンクタイムスロット及び一つ又はそれより多くのダウンリンクタイムスロットに関して、これらのタイムスロットが従来の要求するＵＥに割り当てられるとき、ＵＥは、これらのタイムスロットにおいて先行して割り当てられている他のＰ２Ｐ  ＵＥとこれらのタイムスロットを共有し得る（ステップＳ２５）。
【００５７】
図１０において、前記好適なタイムスロットは、上記のステップＳ９としてＵＥについての位置情報による計算を通じて決定され得ることが詳細に記載されているので、ＵＥが、前記好適なタイムスロットにおいて通信するように割り当てられるとき、通信ネットワークのアップリンク及びダウンリンク通信要求仕様は満たされ得る。以下、より具体的にされる。
【００５８】
ます最初に、（後にＰ２Ｐ要求ＵＥ（P2P request UE）と称される）Ｐ２Ｐ呼出し要求を送信するＵＥ、及びＰ２Ｐ通信に含まれる他のＵＥについての位置情報を取得する。位置情報は、基地局に対するＰ２Ｐ呼出しされたＵＥのレポート及びＵＥの情報に含まれ得るか、又は基地局システムの測定値によってＰ２Ｐ通信で呼び出されたＵＥからの情報から取得され得る（ステップＳ３０）。
【００５９】
それから、セルにおいて無線リソースが既に割り当てられている第一のＵＥから開始され（ステップＳ３１）、Ｐ２Ｐ要求するＵＥと、それぞれ同じセルにおいて無線リソースが既に割り当てられている各々の他のＵＥとの間の距離を計算する。これらの他のＵＥは、セルにおける各々の通信するＵＥと、従来の呼出し要求が上記図８におけるステップＳ４乃至Ｓ６を通じてちょうど承認されている新たな従来のＵＥとを含んでいる。（新たに承認された従来のＵＥの総数はＮｍとして示される）。（若しくは、Ｐ２Ｐ要求するＵＥと選択されたＵＥの一部との間の距離を単に計算する。ここで、選択されたＵＥは無線リソースが割り当てられていると共にＰ２Ｐ要求するＵＥの無線帯域内に入っている）。Ｐ２Ｐ要求するＵＥと上記ＵＥの何れかとの間の距離が閾値Ｄを超える場合、当該ＵＥを、Ｐ２Ｐ要求するＵＥと同じタイムスロットを共有し得るＵＥとしてマークし、さもなければ、当該ＵＥを、Ｐ２Ｐ要求するＵＥと同じタイムスロットを共有し得ないＵＥとしてマークする（ステップＳ３２）。
【００６０】
セルにおいて無線リソースが既に割り当てられている各々のＵＥに対して上記のマーキングプロシージャを実行する（ステップＳ３３）。セルにおいて無線リソースが既に割り当てられている全てのＵＥに対して上記のマーキングプロシージャが実行された後（ステップＳ３４）、セルにおいて無線リソースが割り当てられている第一のＵＥから開始され（ステップＳ３５）、Ｐ２Ｐ呼出し要求に含まれる呼び出されたＵＥと、同じセルにおいて無線リソースが既に割り当てられている他のＵＥとの間の距離をそれぞれ計算する。これらの他のＵＥは、セルにおける各々の通信するＵＥと、従来の呼出し要求が上記図８におけるステップＳ４乃至Ｓ６を通じてちょうど承認されている新たな従来のＵＥとを含んでいる。（新たに承認された従来のＵＥの総数はなおもＮｍによって示される）。（若しくは、呼び出されたＵＥと選択されたＵＥの一部との間の距離を単に計算する。ここで、選択されたＵＥは無線リソースが割り当てられていると共に呼び出すＵＥの無線帯域内に入っている）。Ｐ２Ｐ呼出しされたＵＥと上記ＵＥの何れかとの間の距離が閾値Ｄを超える場合、当該ＵＥを、Ｐ２Ｐ呼出しされたＵＥと同じタイムスロットを共有し得るＵＥとしてマークし、さもなければ、当該ＵＥを、Ｐ２Ｐ呼出しされたＵＥと同じタイムスロットを共有し得ないＵＥとしてマークする（ステップＳ３６）。
【００６１】
セルにおいて無線リソースが既に割り当てられている各々のＵＥに対して上記のマーキングプロシージャを実行する（ステップＳ３６）。セルにおいて無線リソースが既に割り当てられている全てのＵＥに対して上記のマーキングプロシージャが実行された後（ステップＳ３８）、上記Ｐ２Ｐ要求するＵＥの動作原理を共有するチャネルを考慮して、Ｐ２Ｐ呼出し要求が追加される場合、システムを再構成した後、再度割り当てられたタイムスロット及びコード等のような無線チャネルリソースはなおもアップリンク及び／又はダウンリンク通信要求仕様を満たし得るかどうかを確認する。すなわち、いくつかの利用可能なタイムスロットにおける少なくとも二つのタイムスロット、Ｐ２Ｐ要求するＵＥ、Ｐ２Ｐ呼出しされたＵＥは、二つのタイムスロットがＰ２Ｐ要求するＵＥ及びＰ２Ｐ呼出しされたＵＥに割り当てられるとき、タイムスロットにおいて先行して割り当てられている他のＵＥと二つのタイムスロットを共有し得る（ステップＳ３９）。
【００６２】
図８、９、及び１０に関して記載される本発明による、ＴＤ−ＳＣＤＭＡシステムにおいてＰ２Ｐ通信をサポートするための上記方法は、コンピュータハードウエア若しくはソフトウエア又はソフトウエアとハードウエアとの組み合わせで実現され得る。
【００６３】
上記のように、本発明によりもたらされるＴＤ−ＳＣＤＭＡシステムにおけるＰ２Ｐ通信をサポートするための方法及び装置において、Ｐ２Ｐ  ＵＥへの距離がＰ２Ｐ  ＵＥのＰ２Ｐ無線帯域を超えるＵＥのみが、Ｐ２Ｐ  ＵＥと同じタイムスロットにおいて割り当てられ得るので、同じタイムスロットを共有するこれらのＵＥは、Ｐ２Ｐ信号を転送することによって干渉されることなく各通信を実行し得る。
【００６４】
本発明によりもたらされるＴＤ−ＳＣＤＭＡシステムにおけるＰ２Ｐ通信をサポートするための方法及び装置は、例示的なＴＤ−ＳＣＤＭＡの実施例に関連して記載されていると共に示されているが、通信方法及び装置がそれに限定されることはないが、他のＴＤＤ  ＣＤＭＡシステムに適していることも当業者によって理解されるべきである。
【００６５】
本発明において開示されているＴＤ−ＳＣＤＭＡシステムにおけるＰ２Ｐ通信をサポートするための方法及び装置は、請求項によって規定されているように本発明の範囲からほぼ逸脱することなく修正され得ることも当業者によって理解されるべきである。
【図面の簡単な説明】
【００６６】
【図１】二つのＵＥが基地局の中継器を通じて通信する従来の通信モードを示す概略図である。
【図２】二つのＵＥの間のＰ２Ｐ通信を示す概略図である。
【図３】Ｐ２ＰによりイネーブルされたＴＤ−ＳＣＤＭＡシステムにおいて通信するためにアップリンクタイムスロットを使用する従来リンクと直接リンクとの間の干渉信号の発生を示す概略図である。
【図４】Ｐ２ＰによりイネーブルされたＴＤ−ＳＣＤＭＡシステムにおいて通信するためにダウンリンクタイムスロットを使用する従来リンクと直接リンクとの間の干渉信号の発生を示す概略図である。
【図５】Ｐ２ＰによりイネーブルされたＴＤ−ＳＣＤＭＡシステムにおける二つの直接リンク対の間の干渉信号の発生を示す概略図である。
【図６】本発明の第一の方法によるタイムスロット割り当てを示す概略図である。
【図７】本発明の第二の方法によるタイムスロット割り当てを示す概略図である。
【図８】本発明の第二の方法によるリソース割り当てを示すフローチャートである。
【図９】従来の通信モードを使用するＵＥが加わるときの図８におけるリソース割り当てを示すフローチャートである。
【図１０】Ｐ２Ｐ通信モードを使用するＵＥが加わるときの図８におけるリソース割り当てを示すフローチャートである。
【図１】
0004594313.tif 000002
【図２】
0004594313.tif 000003
【図３】
0004594313.tif 000004
【図４】
0004594313.tif 000005
【図８】
0004594313.tif 000006
【図９】
0004594313.tif 000007
【図１０】
0004594313.tif 000008
【図５】
0004594313.tif 000009
【図６】
0004594313.tif 000010
【図７】
0004594313.tif 000011